(57)【要約】【課題】  長尺のコテ刷毛の塗布面に係る荷重を略等分布にすることで、均一な塗布ができるコテ刷毛を提供する。【解決手段】コテ刷毛本体１の両端を長手方向に向かって一定の曲率で曲げ加工等をすることにより、コテ刷毛を壁面等の被塗装対象物に押し当てた際に、コテ刷毛本体１の長さ方向端点から徐々に当該壁面等の被塗装対象物に接し、最終的にコテ刷毛の塗装部全面が壁等の被塗装対象物に略等分布荷重で接し、均一な刷毛塗装を可能とする。【選択図】図５
2016107185.tif 000002
【特許請求の範囲】
【請求項１】
一定の曲率を有するコテ刷毛本体１を壁等の被塗装対象物に一定抗力で押し当てた場合に、コテ刷毛の塗布部の両端から中心部へ連続的に接するように、コテ刷毛の塗布部に係る荷重が略等分布となる曲率を有するコテ刷毛。
【請求項２】
一定の角度で傾斜したコテ刷毛本体１を壁等の被塗装対象物に押し当てた場合に、コテ刷毛の塗布部の両端から中心部へ連続的に接するように、コテ刷毛本体１の長さ方向の両端を一定角度で傾斜させたコテ刷毛。
【請求項３】
コテ刷毛本体１の幅方向の端部のいずれか一方又は両端部を折り曲げ加工をして断面二次モーメントを大きくしたコテ刷毛。
【請求項４】
コテ刷毛本体１の長さａを３００ｍｍ〜６００ｍｍの範囲で変化させた場合に、幅ｂが当該長さａに反比例して１５０ｍｍ〜８０ｍｍの範囲で変化し、その長さ／幅(＝ａ／ｂ)の比率が２．０〜７．５の範囲にあり、長さａ×幅ｂの面積が４５０００ｍｍ２〜４８０００ｍｍ２の塗装面を有するコテ刷毛本体１に、塗料を含浸させる素材の塗装部材を有する長さを（ａ−５）ｍｍ以上（ａ＋５）ｍｍ以下の範囲、幅を（ｂ−５）ｍｍ以上（ｂ＋５）ｍｍ以下の範囲としたコテ刷毛本体１からの張り出し量が一定の塗装面と、当該塗装面とは反対面に固定した取っ手の構成からなるコテ刷毛。
【請求項５】
コテ刷毛本体１の長さａを４００ｍｍ〜５００ｍｍの範囲で変化させた場合に、幅ｂが当該長さａに反比例して１１０ｍｍ〜９０ｍｍの範囲で変化し、その長さ／幅(＝ａ／ｂ)の比率が３．６〜５．５の範囲にあり、長さａ×幅ｂの面積が４５０００ｍｍ２となる塗装面を有するコテ刷毛本体１に、塗料を含浸させる素材の塗装部材を有する長さを（ａ−５）ｍｍ以上（ａ＋５）ｍｍ以下の範囲、幅を（ｂ−５）ｍｍ以上（ｂ＋５）ｍｍ以下の範囲としたコテ刷毛本体１からの張り出し量が一定の塗装面と、当該塗装面とは反対面に固定した取っ手の構成からなるコテ刷毛。
【請求項６】
コテ刷毛本体１の長さａを３００ｍｍ〜６００ｍｍの範囲で変化させた場合に、幅ｂが当該長さａに反比例して１５０ｍｍ〜８０ｍｍの範囲で変化し、その長さ／幅(＝ａ／ｂ)の比率が２．０〜７．５の範囲にあり、長さａ×幅ｂの面積が４５０００ｍｍ２〜４８０００ｍｍ２の範囲内にある塗装面を有するコテ刷毛本体１に、塗料を含浸させる素材の塗装部材を有する長さを（ａ−５）ｍｍ以上（ａ＋５）ｍｍ以下の範囲、幅を（ｂ−５）ｍｍ以上（ｂ＋５）ｍｍ以下の範囲としたコテ刷毛本体１からの張り出し量が一定の塗装面と、当該塗装面とは反対面に固定した取っ手の構成からなる、請求項１乃至請求項３の形状を有するコテ刷毛。
【請求項７】
コテ刷毛本体１の長さａを４００ｍｍ〜５００ｍｍの範囲で変化させた場合に、幅ｂが当該長さａに反比例して１１０ｍｍ〜９０ｍｍの範囲で変化し、その長さ／幅(＝ａ／ｂ)の比率が３．６〜５．５の範囲にあり、長さａ×幅ｂの面積が４５０００ｍｍ２となる塗装面を有するコテ刷毛本体１に、塗料を含浸させる素材の塗装部材を有する長さを（ａ−５）ｍｍ以上（ａ＋５）ｍｍ以下の範囲、幅を（ｂ−５）ｍｍ以上（ｂ＋５）ｍｍ以下の範囲としたコテ刷毛本体１からの張り出し量が一定の塗装面と、当該塗装面とは反対面に固定した取っ手の構成からなる、請求項１乃至請求項３の形状を有するコテ刷毛。
【請求項８】
コテ刷毛本体１に、塗料を含浸させる素材の塗装部材を有する塗装面と、当該塗装面とは反対面に固定した取っ手の構成からなるコテ刷毛を取っ手取り付け面から見た長方形４つの角のうちの同側面にある隣り合う２つの角が、当該長方形の対角線が重力鉛直下向きになった場合に、当該２つの角からの塗料の液だれを防止できるように角丸め加工あるいは面取り加工をした当該２つの角を有する、請求項４乃至請求項７のコテ刷毛。
【発明の詳細な説明】
【技術分野】
【０００１】
本発明は、水性塗料等を塗布する際に使用するコテ刷毛に関するものである。
【背景技術】
【０００２】
従来、平面を均一に広く塗装する方法として、刷毛部の横幅を長くした植毛刷毛や、ローラー刷毛、あるいは、塗料を含浸させる塗布部を有する長方形状のコテ刷毛などが使用されている。この中で、植毛刷毛の場合、刷毛の角度や力の入れ具合など、熟練した技量が要求される。また、ローラー刷毛の場合は、塗料を含浸させるローラーの材質によっては、塗装の際に気泡が入り込みやすくなり、植毛刷毛と比較すると、作業時間の短縮を図れる反面、時間経過後の塗装面の剥がれ等の問題が生じやすくなっている。
【０００３】
さらに、面積が広い場合には、主にスプレーガンを用いて、塗装作業が行われている。このスプレー塗装の場合は、作業性は高い半面、塗料の空中飛散対策のため、室内作業であれば換気措置や、被塗装対象物以外をビニールシートで覆うなどの養生が必要となるという施工作業のほかの付帯作業が発生する。また、広い面積を塗装できる長方形状のコテ刷毛の場合は、塗布部の面積を大きくすれば、コテ刷毛の重量が重くなり、作業性が低下する。
【０００４】
さらに、室内壁に用いられているクロス壁紙は、引越し等に伴う居住者の入れ替わりや模様替えや経年劣化等により、一定期間経過後に壁紙の張り替えが行なわれるのが一般的である。近年、クロスの張り替えをせずに、そのまま、光触媒性能や消臭効果などの機能性塗料を塗布する施工方法も、増加傾向にある。このようなクロス壁紙への塗装等には、長尺なコテ刷毛が使用され、従来のコテ刷毛では、ある程度均一な塗装面が提供されているが、コテ刷毛の両端部の塗り斑を防止するため、コテ刷毛塗りを繰り返す際に、重ね塗り面積を大きくする必要がある。
【先行技術文献】
【特許文献】
【０００５】
【特許文献１】特開２００３−３００００６号公報
【特許文献２】特開２０００−９３８７７号公報
【特許文献３】特開２０１２−２５０１８４号公報
【特許文献４】実開昭６２−３５６７６号公報
【非特許文献】
【０００６】
【非特許文献１】塚本塗装ホームページ（http:／／www.nuri-ya.com／houhou／d.html）
【発明の概要】
【発明が解決しようとする課題】
【０００７】
解決しようとする問題点は、コテ刷毛の形状の最適化を図るとともに、植毛刷毛の熟練技のような均一な塗装面の実現を図る点である。図１は、従来からの長尺の長方形状コテ刷毛の斜視図であり、図２は、その正面図である。このようなコテ刷毛を使って、壁面クロス等の被塗装対象物に刷毛塗を行う場合、取っ手４を介して押し当てられた抗力Ｄは、コテ刷毛本体１の全面からウレタン樹脂製等のクッション部２を介して、起毛加工等が施されたポリエステル樹脂製等の塗布部３に伝えられる。ここで、当該クッション部２や塗布部３は弾力性を有しているため、これらの部材２、３は、伸縮バネのようにコテ刷毛本体１と壁等の被対象物との間から受ける圧縮に反発して伸長方向に力が作用する。その結果として、図３に示すように、当該取っ手４の取付固定端からコテ刷毛本体１の長手方向先端までの（Ｙ−Ｙ）部分が、取っ手４側へ曲率Ｒ１で湾曲し、均一な面圧で刷毛塗ができず、塗り斑が生じやすいものとなっていた。
【課題を解決するための手段】
【０００８】
本発明は、所定面積を有する長方形状のコテ刷毛本体１の塗布側には、ウレタン樹脂製等のクッション部２及びポリエステル樹脂製等の塗布部３を固着あるいは着脱可能とし、当該塗布面の反対面に固定した取っ手４からなるコテ刷毛であることを特徴とし、当該取っ手固定端からコテ刷毛本体１の長手方向先端までの（Ｙ−Ｙ）部分の形状を、一定の曲率で塗布面側に曲率中心を有する湾曲させた形状、あるいは、（Ｙ−Ｙ）部分が先端に向って塗布面側へ一定角度で傾斜させたことを最も主要な特徴とする。
【発明の効果】
【０００９】
本発明のコテ刷毛本体１を一定の曲率で取っ手４の固定側とは反対側に湾曲させることで、当該コテ刷毛を壁等の被塗装対象物に押し当てた場合、コテ刷毛の長さ方向の両端点から次第に接し、コテ刷毛の塗装部全面が壁等の被塗装対象物に等分布荷重で押し当てることが可能となり、作業者の熟練度に係らず、均一な塗装面に仕上げることが可能となる。また、コテ刷毛本体１と塗布部３の間のクッション部２をウレタン樹脂製等だけではなく、ばね定数の高い、いわゆる反発係数の高い部材や、クッション部２の厚さｔ２や塗布部３の厚さｔ３の厚い部材を用いた場合でも、コテ刷毛を一定の抗力Ｄ’で押し当てた場合に生じる撓みδに応じた最適な曲率Ｒ２でコテ刷毛本体１を成形すれば、略等分布荷重で刷毛塗を行うことができるコテ刷毛を提供することが可能となる。このように、本発明のコテ刷毛は、コテ刷毛本体１を被塗装対象物に押し当てた場合に、塗布部の面圧を略一定にすることができるという利点がある。  
【００１０】
また、本発明のコテ刷毛本体１の長さａを３００ｍｍ〜６００ｍｍとして、幅ｂを８０ｍｍ〜１５０ｍｍの範囲になるようにして、当該コテ刷毛面積が一定範囲の数値になるように、その長さ／幅（＝ａ／ｂ）が７．５〜２．０の範囲となるようにすることで、コテ刷毛本体１の塗装面側に固着等したウレタン樹脂製等のクッション部２およびポリエステル樹脂等の塗布部３に施工開始時に吸収含有されて塗布に寄与しない塗料の量を一定に抑え、なおかつ、長さと幅が異なるコテ刷毛であっても、１回の塗布部３に供給する塗料で同等の面積の塗装が行なえることが可能となる。
【図面の簡単な説明】
【００１１】
【図１】図１は従来からの長方形状コテ刷毛の斜視図である。
【図２】図２は従来からの長方形状コテ刷毛の正面図である。
【図３】図３は従来からの長方形状コテ刷毛を壁面等の被塗装対象物に押し当てた場合の変形概念図と長さ方向の面圧分布の概略図である。
【図４】図４は長方形状コテ刷毛本体１に等分布加重が作用した場合の長さ方向の撓みδを示した概略図である。
【図５】図５はコテ刷毛本体１の（Ｙ−Ｙ）部分を一定曲率Ｒ２で曲げ加工を施したコテ刷毛の概略図である（実施例１）。
【図６】図６はコテ刷毛本体１の（Ｙ−Ｙ）部分を先端に向って一定角度で傾斜させた場合の概略図である(実施例２)。
【図７】図７はコテ刷毛本体１の端部を折り曲げ加工して、断面二次モーメントをより大きくしたコテ刷毛の斜視図である(実施例３)。
【図８】図８はコテ刷毛本体１の両端部を折り曲げ加工して、断面二次モーメントをより大きくしたコテ刷毛の斜視図である(実施例３)。
【図９】図９はコテ刷毛本体１の両端の長さを拘束して、コテ刷毛本体１を曲げ加工する方法を示した概略図である(実施例４)。
【図１０】図１０は同側面の隣り合う角の２つを角丸め加工し、クッション部２と塗布部３をコテ刷毛本体１より、外側へ張り出る（プラスに張り出る）ようにしたコテ刷毛の斜視図である(実施例５)。
【図１１】図１１は図１０に示すコテ刷毛の上面図である(実施例５)。
【図１２】図１２は同側面の隣り合う角の２つを面取り加工し、クッション部２と塗布部３をコテ刷毛本体１より、ひと回り小さくなる（マイナスに張り出る）ようにしたコテ刷毛の斜視図である(実施例５)。
【図１３】図１３は、図１２に示す同側面の隣り合う角の２つを斜めに面取り加工した場合の上面図である（実施例５）。
【図１４】図１４はコテ刷毛本体１の長さａと幅ｂの関係を示したグラフである（実施例６）。
【発明を実施するための形態】
【実施例１】
【００１２】
Ｒ２の曲率で（Ｙ−Ｙ）部分を曲げ加工したコテ刷毛本体１は、取っ手４が固定されていることから、図４に示すように、コテ刷毛を壁等の被塗装対象物に押し当てた場合でも、取っ手４により図４の（Ｘ−Ｘ）部分は拘束されて変形が抑えられるため、当該（Ｘ−Ｘ）部分は略等分布荷重であると考えられることから、コテ刷毛本体１は、取っ手４の取付部端点（Ａ点）を固定端とする等分布荷重ｗ（単位：Ｎ／ｍｍ）が作用する自由梁の撓みに近似していると考えられる。  ここで、コテ刷毛本体１の縦弾性係数（ヤング率）をＥ（単位：Ｎ／ｍｍ２）とし、断面二次モーメントをＩ（単位：ｍｍ４）とした場合、（Ｙ−Ｙ）部分には等分布荷重ｗ（＝Ｄ’／a）が作用した場合のコテ刷毛本体１の長さ方向端点である自由端（Ｂ点）の撓みδ（単位：ｍｍ）は、材料力学の公式である次式から導き出すことができる。
【００１３】
【数１】
2016107185.tif 000003
【００１４】
図４に示すようなＸ−Ｙ座標系を考え、コテ刷毛本体１と取っ手４の固定端Ａ点の座標を（x０，y０）、コテ刷毛本体１の長さ方向の端Ｂ点の座標を（x１，y１）とすれば、たわみδは、（ｙ０−ｙ１）で表わされ、曲率Ｒ２の曲率中心は、Ａ点−Ｂ点を結ぶ線の垂直２等分線と直線Ｙ＝x０の交点となる。当該交点とＡ点又はＢ点を結ぶ距離が曲率半径Ｒ２で算出される。
【００１５】
【数２】
2016107185.tif 000004
【００１６】
図５は、上記方法で算出された曲率半径Ｒ２となるように、コテ刷毛本体１の（Ｙ−Ｙ）部分を曲げ加工を施し、ウレタン樹脂製等のクッション部２及びポリエステル樹脂製等の塗布部３を固着あるいは着脱可能としたコテ刷毛の実施例を示している。このような曲率で曲げ加工したコテ刷毛を、抗力Ｄ’で壁面等の被塗装対象物に押し当てて塗装作業を行う場合には、コテ刷毛の長さ方向の両端点から壁面等の被塗装対象物に順次接し、コテ刷毛の塗装部全面が当該壁面等に接する時に、略等分布荷重で均一に塗装作業が行うことが可能となる。ここで、コテ刷毛が壁等の被塗装対象物に押し当てた場合に略等分布荷重になるようにできれば、取っ手４の大きさや取付位置は、実施例に限定するものではない。
【００１７】
【表１】
2016107185.tif 000005
【００１８】
上記の表は、アクリル樹脂、ポリカーボネート樹脂、アルミニウムでコテ刷毛本体１を作成した場合の荷重と撓み、及び近似曲率半径を求めた一例を示している。ここで、表１の最上段から３番目の厚さｔ１＝２ｍｍのアクリル樹脂のコテ刷毛本体１に５０Ｎの荷重を加えた場合、（Ｙ−Ｙ）部分の撓みは４２．１ｍｍとなり、正確なx１座標の算出が困難となるため、便宜的に、x０-x１の長さLを（Ｙ−Ｙ）＝１５８ｍｍと同じと近似して、表の近似曲率半径を求めている。したがって、実際の曲率半径Ｒ２は、当該近似曲率半径の数値より小さくなると考えられる。また、アクリル樹脂製のコテ刷毛本体１の厚さｔ１＝５ｍｍの場合、撓みが小さくなることから、x０-x１と（Ｙ−Ｙ）部分の長さの誤差が小さくなり、当該近似曲率半径は、曲率半径Ｒ２に近い数字を示していると考えられる。但し、この表に示した長さａと幅ｂ及び厚さｔ１の組み合わせ等は、例示にすぎず、これらに限定されるものではない。
【００１９】
また、コテ刷毛本体１の材質をアクリル樹脂とした場合、アクリル樹脂を曲げる方法として、約１５０℃のオーブンで加熱して柔らかくした後、所定の曲率を有する木型等に押し当てながら冷却することで成形することが可能である。但し、コテ刷毛本体１の材料として、アクリル樹脂、ポリカーボネート樹脂等や、金属アルミニウム、金属マグネシウム、マグネシウム合金等が望ましいが、これらに限定するわけではない。
【実施例２】
【００２０】
図６は、コテ刷毛本体１の（Ｙ−Ｙ）部分を取っ手4の取付面とは反対側へ、当該（Ｙ−Ｙ）部分を取っ手４の取付位置から先端へ向かって、直線状に一定角度θで傾斜させた場合の実施例を示している。材料のヤング率Ｅが大きい場合や、コテ刷毛本体１の材料が同質のものであっても、コテ刷毛本体１の厚さｔ１が大きな場合等の断面二次モーメントＩが大きい場合は、式１で示す撓みδは小さくなり、結果として、曲率半径Ｒ２の数値が大きくなる。このような場合は、コテ刷毛本体１の（Ｙ−Ｙ）部分の端点が撓みδと同じ位置になるように、一定角度θで取っ手４の取付部端点を起点として直線曲げを加工したコテ刷毛本体１に、ウレタン樹脂製等のクッション部２及びポリエステル樹脂製等の塗布部３を固着あるいは着脱可能とし、取っ手４をネジ留めあるいは接着固定して、コテ刷毛を構成することができる。
【００２１】
この様に、コテ刷毛本体１の（Ｙ−Ｙ）部分を取っ手４の取付部の略取り付け端部位置で、一定角度θで曲げることで、コテ刷毛を壁等の被塗装対象物に押し当てて、塗装施工した場合も、実施例１と同様に、コテ刷毛本体１の端部からコテ刷毛本体１の中央部に向って壁等の被塗装対象物に順次連続して接し、コテ刷毛の両端がウレタン樹脂製クッション部２やポリエステル樹脂の塗布部３の伸長力を相殺することで、略均一な塗装面の実現を図ることができる。
【実施例３】
【００２２】
図７は、コテ刷毛本体１を幅方向の２つの端部のうちの一方の端部を長さ方向に亘って折り曲げ加工を施した実施例を示している。このように端部を長さ方向に曲げ加工を施したコテ刷毛本体１にウレタン樹脂製等のクッション部２及びポリエステル樹脂製等の塗布部３を固着あるいは着脱可能とし、取っ手４をネジ留めあるいは接着固定したコテ刷毛を構成している。端部を折り曲げ加工を施すことにより、断面二次モーメントＩを大きくすることができ、コテ刷毛を壁面等の被塗装対象物に押し当て塗装施工をした場合に、コテ刷毛本体１の長さ方向の撓みδを小さくすることが可能となり、略均一な塗装面の実現を図ることができる。
【００２３】
図７では、コテ刷毛本体１の幅方向から観た片側端部のみを折り曲げ加工しているが、この実施例に限るわけではなく、図８に示すように、反対側の端部も同様に折り曲げ加工を施して、断面二次モーメントＩを大きくしてもよいが、断面二次モーメント大きくする方法として、折り曲げ加工に限るわけではない。
【実施例４】
【００２４】
アクリル樹脂等の熱可塑性を有する材料の場合、曲率半径Ｒ２を求めなくても、以下の方法で、表１に示す撓み量δから、所定の曲率の（Ｙ−Ｙ）部分を有するコテ刷毛本体１の成形が可能である。図９は、図５に示すアクリル樹脂製のコテ刷毛本体１を撓みδで曲げ成形する際の長さを拘束する場合の実施例である。その具体的な方法として、コテ刷毛本体１のアクリル樹脂板の取っ手４の取付部を直線状のまま変形しないように、鉄製等の平面拘束部材７と８でコテ刷毛本体１の取っ手取付部分を挟み込み、ボルト１１で固定し、熱変形しないように拘束する。次に、コテ刷毛本体１の両端をそれぞれ長さ方向拘束部材６に押し当てて、当該拘束部材６に貫通させた両切りネジ９に取り付けたナット１０により、コテ刷毛本体１の長さが（ａ−α）と短くなるように拘束する。この場合、コテ刷毛本体１の左右（Ｙ−Ｙ）部分はそれぞれ撓みδで撓んだ状態となることで、一定の曲率で曲がった状態のままオーブン加熱し、一定時間経過後、オーブンから取り出して、拘束した状態で空冷等により冷却すれば、所定の曲率の曲げ成形が可能となる。このような加工方法であれば、曲率Ｒ２を算出しなくても、撓みδになるように拘束すれば、所定の曲率を持つアクリル樹脂のコテ刷毛本体１を成形することが可能となる。アクリル樹脂のコテ刷毛本体１の曲げ方法は、上記実施例１で述べた方法などがあり、これらに限定されるわけではない。
【実施例５】
【００２５】
図１０は、コテ刷毛本体１にウレタン樹脂製等のクッション部２及びポリエステル樹脂製等の塗布部３を固着あるいは着脱可能とし、取っ手４をネジ留めあるいは接着固定したコテ刷毛の取っ手４の取り付け面（上面）側から見た場合の４つの角のうち、当該上面と塗装面（底面）で挟まれた４側面の中の１つの同側面にある隣り合う２つの角を角丸め加工（ここでは、Ｒ加工ともいう。）することで、塗装施工中におけるコテ刷毛を壁等の被塗装対象物上で回転させる時に塗料の液垂れを防ぐことができる。
【００２６】
当該角丸め加工をしていないコテ刷毛の当該上面対角線を重力鉛直下向きにした場合、丁度、正方形の雑巾を水に濡れたまま、当該雑巾の対角線が重力鉛直下向きになるように干した場合に、最下部の角に水が集中して滴が垂れてくることと同じ様に、塗料が垂れ易くなる。また、壁等の被塗装対象物のコーナー隅部には、角丸め加工をした隣り合う２つの角をもつコテ刷毛の残りの角丸め加工をしていない角により、塗装ができ、塗り残しを防止できる。コテ刷毛の角からの液垂れを防ぐことが可能であれば、角丸め加工に限らず、図１２に示すように、隣り合う２つの角の面取り加工等であっても構わない。
【実施例６】
【００２７】
取っ手４をＭ６の皿ネジで固定した、長さａ＝４５０ｍｍ、幅ｂ＝１００ｍｍ、厚さｔ１＝５ｍｍのアクリル樹脂製のコテ刷毛本体１に、厚さｔ２＝９ｍｍのスポンジ状のウレタン樹脂製のクッション部２と厚さ４ｍｍの起毛状のポリエステル樹脂製の塗布部３を固着させて構成したコテ刷毛に水溶性塗料を使用した場合、乾燥した状態の当該クッション部２と乾燥した状態の当該塗布部３には、塗装施工開始時に２００ｃｃ〜３００ｃｃの塗料が吸収含有され、塗装に寄与していない。すなわち、当該クッション部２と塗布部３を一体とした場合、単位塗布面あたり０．００４０４ｃｃ／ｍｍ２〜０．００６０７ｃｃ／ｍｍ２の塗料が吸収含有される材質と言える。このように、コテ刷毛本体１の長さ及び幅を一定以上に大きくすることは、コテ刷毛本体１の重量を重くするだけではなく、塗装に寄与しない塗料を増加させることになる。また、コテ刷毛本体１の面積を一定範囲内となるように、コテ刷毛の長さ／幅比（＝ａ／ｂ）を決めることにより、長さや幅が異なるコテ刷毛であっても、塗装施工開始時に無駄になる塗料を一定量以下に抑えることが可能となる。さらには、このように長さ／幅比で設計されたコテ刷毛であれば、一定量の塗料で塗装施工できる塗装面積を同程度にすることができ、施工見積等の際に使用塗料の概算が行ない易くなる。
【００２８】
図１の斜視図に示すように、コテ刷毛本体１の長さをａとし、幅をｂとし、ａの値を３００ｍｍ〜６００ｍｍの範囲にした場合に、コテ刷毛本体１の塗布面面積を約４５０００ｍｍ２〜４８０００ｍｍ２となるようにすれば、塗装施工開始時にクッション部２や塗布部３に含有吸収される塗料量を１８２ｃｃ〜２９１ｃｃ程度の範囲に抑えることができる。したがって、ａの値が３００ｍｍの場合には、ｂの値を１５０ｍｍとし、ａの値が６００ｍｍの場合には、ｂの値を７５ｍｍとする。すなわち、ａの値を３００ｍｍから６００ｍｍへ変化させた場合に、それに反比例して、ｂの値を１５０ｍｍから７５ｍｍの範囲になるように、長さ／幅比（＝ａ／ｂ）が２．０〜７．５になるように設計することで、上記の特徴を有するコテ刷毛を提供できる。ここで、図１４に、このような長さａと幅ｂとの関係をグラフで示している。グラフの中の◇記号は、長さａ×幅ｂ＝４８０００ｍｍ２で表わされる数値を示し、△記号は、長さａ×幅ｂ＝４５０００ｍｍ２で表わされる数値を示している。特に、記号△で示す、長さａの値を４００ｍｍ〜５００ｍｍの範囲で変化させた場合に、当該長さａの値に反比例して、ｂの値が１１０ｍｍ〜９０ｍｍの範囲となるように、長さａ×幅ｂの面積が略４５０００ｍｍ２となる当該長さ／幅比（＝ａ／ｂ）の値が３．６〜５．５の範囲になるように設計したことを特徴とするコテ刷毛本体１であることが望ましい。但し、ウレタン樹脂製等のクッション部２やポリエステル樹脂製等の塗布部３の材質や形状によっては、吸収含有する塗料の量が変化すると考えられるため、上記の吸収含有量は例示に過ぎず、クッション部２や塗布部３の長さは、（ａ−５）ｍｍ以上（ａ＋５）ｍｍ以下の範囲で、幅は、（ｂ−５）ｍｍ以上（ｂ＋５）ｍｍ以下の範囲で、コテ刷毛本体１からの張り出し量が一定であれば良く、コテ刷毛本体１の長さａと幅ｂと同じ大きさに限るものではない。なお、図１２に示すように、マイナスの張り出し量の場合は、コテ刷毛本体１の面積の方が、クッション部２や塗布部３の面積よりも広いことを意味している。
【産業上の利用可能性】
【００２９】
室内壁に用いられているクロス壁紙等に光触媒成分を含有する水性塗料等をコテ刷毛塗り作業をする際に、コテ刷毛を壁面等に複数回往復させる必要があるが、コテ刷毛の塗装面に係る荷重を長さ方向に亘り、略等分布とすることで、繰り返し塗装の際の重ね塗り面積を小さくすることができ、作業時間の短縮等の作業効率の向上と使用塗料の節約を図ることができる。また、室内クロス壁だけではなく、屋外のブロック壁や家の外壁などに塗装作業する場合でも、本発明のコテ刷毛を使用すれば、等分布荷重による略均一な塗装面を提供することが可能となる。
【符号の説明】
【００３０】
１    コテ刷毛本体
２    ウレタン樹脂等のクッション部
３    ポリエステル樹脂等の塗布部
４    取っ手
５    コテ刷毛本体の取っ手取付部の固定部材
６    長さ方向拘束部材
７    平面拘束部材
８    平面拘束部材
９    両切りネジ
１０  ナット
１１  ボルト
【図１】
2016107185.tif 000006
【図２】
2016107185.tif 000007
【図３】
2016107185.tif 000008
【図４】
2016107185.tif 000009
【図５】
2016107185.tif 000010
【図６】
2016107185.tif 000011
【図７】
2016107185.tif 000012
【図８】
2016107185.tif 000013
【図９】
2016107185.tif 000014
【図１０】
2016107185.tif 000015
【図１１】
2016107185.tif 000016
【図１２】
2016107185.tif 000017
【図１３】
2016107185.tif 000018
【図１４】
2016107185.tif 000019